(57)【特許請求の範囲】
【請求項１】
合成樹脂材からなるベース部材と、前記ベース部材の上側に配置されると共にレンズ体を保持可能な筒状のレンズ保持部材と、当該レンズ保持部材を光軸方向へ移動可能に支持する付勢部材と、少なくとも磁石及びコイルを有して構成され、前記レンズ保持部材を光軸方向に沿って移動させる移動機構と、前記レンズ保持部材と当接可能に対向するように前記ベース部材に設けられると共に、前記ベース部材よりも柔らかい材料で形成された弾性体と、を備えたレンズ駆動装置において、
前記弾性体は、当該弾性体よりも硬い材料で形成された取付け体に一体化されており、前記取付け体が前記ベース部材に固定されている、
ことを特徴とするレンズ駆動装置。
【請求項２】
前記弾性体は、前記取付け体よりも下方に位置する部分が設けられた基部を有すると共に、前記基部が前記ベース部材に当接している、
ことを特徴とする請求項１に記載のレンズ駆動装置。
【請求項３】
前記弾性体には、前記基部から上方に突出し、上端部が前記取付け体よりも高い位置にある突出部が設けられ、前記突出部の上面が前記レンズ保持部材に当接可能に対向する受け部となっている、
ことを特徴とする請求項２に記載のレンズ駆動装置。
【請求項４】
前記コイルは、前記レンズ保持部材の周囲に巻かれており、
前記レンズ保持部材には、前記弾性体に当接可能な複数の当接突部が下方へ突出して設けられ、複数の前記当接突部の少なくとも１つは、前記コイルの端部が巻き付けられて保持される保持突起で構成されている、
ことを特徴とする請求項１乃至請求項３のいずれかに記載のレンズ駆動装置。
【請求項５】
前記取付け体は金属板からなり、前記弾性体が前記取付け体に成型加工により一体化されている、
ことを特徴とする請求項１乃至請求項４のいずれかに記載のレンズ駆動装置。
【請求項６】
前記取付け体には、切欠き部又は開口部が設けられており、前記弾性体は、前記切欠き部又は前記開口部を塞ぐと共に、前記取付け体の下面側に一部が位置するように設けられている、
ことを特徴とする請求項５に記載のレンズ駆動装置。
【請求項７】
前記取付け体には、複数の貫通部が設けられていると共に、前記ベース部材には、複数の前記貫通部にそれぞれ挿通される凸部が設けられ、複数の前記貫通部に挿通された前記凸部が前記取付け体上で、当該凸部の先端が変形するようにかしめられている、
ことを特徴とする請求項１乃至請求項６のいずれかに記載のレンズ駆動装置。
【請求項８】
前記取付け体は、光軸を挟んで複数設けられ、それぞれの前記取付け体に、前記弾性体が一体化されている、
ことを特徴とする請求項１乃至請求項７のいずれかに記載のレンズ駆動装置。
【発明の詳細な説明】
【技術分野】
【０００１】
本発明は、レンズ駆動装置に関し、特に、非通電状態における異常音の発生を抑制することができるレンズ駆動装置に関する。
【背景技術】
【０００２】
携帯電話機やスマートフォン等の携帯型電子機器にはカメラ機能を備えた製品がある。これらの機器で撮影に用いられるレンズは、ＶＣＭ（Ｖｏｉｃｅ  Ｃｏｉｌ  Ｍｏｔｏｒ：ボイスコイルモータ）を用いたレンズ駆動装置によって駆動される。また、これらの機器をカメラとして使用してしない場合、レンズ駆動装置は非通電状態となっている。そのため、スマートフォン等の携帯型電子機器では、例えば、着信を知らせるヴァイブレーションにより本体に力が連続して加わると、連続してレンズ保持部材とベース部材とが衝突し、異常音が発生することが懸念される。そのため、このような異常音の発生を抑制するための構成を有するレンズ駆動装置が求められていた。
【０００３】
このような異常音の発生を抑制するための構成を有したレンズ駆動装置として、特許文献１に記載のレンズ駆動装置が知られている。以下、図１２を用いて、特許文献１に記載のレンズ駆動装置９００について説明する。
【０００４】
レンズ駆動装置９００は、合成樹脂材からなるベース部材９０１と、ベース部材９０１の上に配置されると共にレンズ体を保持可能な筒状のレンズ保持部材９０２と、レンズ保持部材９０２をベース部材９０１側へ付勢する付勢部材９０３と、磁石９０４、コイル９０５及びヨーク９０６を有して構成され、付勢部材９０３の付勢力に反してレンズ保持部材９０２を光軸方向に沿って移動させる移動機構９５０と、を備えたレンズ駆動装置である。ベース部材９０１には、ベース部材９０１を形成する合成樹脂材よりも柔らかい材料で形成された受け部材９０７がベース部材９０１から露出した状態で埋設されており、コイル９０５への非通電状態において、レンズ保持部材９０２が受け部材９０７に当接している。
【０００５】
このような構成によって、レンズ駆動装置９００は、非通電状態における異常音の発生を抑制することができるレンズ駆動装置を提供することができる、という効果を奏する。
【先行技術文献】
【特許文献】
【０００６】
【特許文献１】登録実用新案３１８２０６５号公報
【発明の概要】
【発明が解決しようとする課題】
【０００７】
レンズ駆動装置９００では、受け部材９０７をベース部材９０１上に形成させるために二色成形を用いており、受け部材９０７には、エラストマー等の柔らかい材料が用いられる。しかしながら、エラストマーは流動性が悪く、そのためその充填する量のコントロールが困難であった。また、二色成形において一次成型時に作られるベース部材９０１は、その形状が小さいため、注入される樹脂の圧力に負けて変形し、要求される形状とすることが困難であった。即ち、レンズ駆動装置９００では、ベース部材９０１上に形成される受け部材９０７の加工性が悪いという問題があった。
【０００８】
本発明はこのような従来技術の実情に鑑みてなされたもので、非通電状態における異常音の発生を抑制すると共に、レンズ保持部材が当接する部材の加工性を良くしたレンズ駆動装置を提供する。
【課題を解決するための手段】
【０００９】
上記課題を解決するために本発明のレンズ駆動装置は、合成樹脂材からなるベース部材と、前記ベース部材の上側に配置されると共にレンズ体を保持可能な筒状のレンズ保持部材と、当該レンズ保持部材を光軸方向へ移動可能に支持する付勢部材と、少なくとも磁石及びコイルを有して構成され、前記レンズ保持部材を光軸方向に沿って移動させる移動機構と、前記レンズ保持部材と当接可能に対向するように前記ベース部材に設けられると共に、前記ベース部材よりも柔らかい材料で形成された弾性体とを備えたレンズ駆動装置において、前記弾性体は、当該弾性体よりも硬い材料で形成された取付け体に一体化されており、前記取付け体が前記ベース部材に固定されている、という特徴を有する。
【００１０】
このように構成されたレンズ駆動装置は、弾性体を当該弾性体よりも硬い材料で形成された取付け体に一体化して形成したので、弾性体をベース部材上に二色成形で設ける必要がない。そのため、弾性体、即ちレンズ保持部材が当接する部材の加工性を良くすることができる。また、レンズ保持部材がベース部材よりも柔らかい材料からなる弾性体と当接するので、非通電状態における異常音の発生を抑制することができる。
【００１１】
また、上記の構成において、前記弾性体は、前記取付け体よりも下方に位置する部分が設けられた基部を有すると共に、前記基部が前記ベース部材に当接している、という特徴を有する。
【００１２】
このように構成されたレンズ駆動装置は、弾性体の基部をベース部材に当接させるようにしたので、レンズ保持部材からの衝撃を、柔らかい材料からなる弾性体の基部を介してベース部材で受けることができる。その結果、発生する異常音を更に抑制することが可能となる。
【００１３】
また、上記の構成において、前記弾性体には、前記基部から上方に突出し、上端部が前記取付け体よりも高い位置にある突出部が設けられ、前記突出部の上面が前記レンズ保持部材に当接可能に対向する受け部となっている、という特徴を有する。
【００１４】
このように構成されたレンズ駆動装置は、弾性体に設けられた突出部の上面が、レンズ保持部材が当接する受け部となっているため、レンズ保持部材からの衝撃を当該受け部で受けた後に、受け部より面積の広い基部に伝えることができる。そのため、レンズ保持部材からの衝撃を分散させてベース部材に伝えることができ、弾性体によるレンズ保持部材からの衝撃の吸収を効率良く行うことができる。
【００１５】
また、上記の構成において、前記コイルは、前記レンズ保持部材の周囲に巻かれており、前記レンズ保持部材には、前記弾性体に当接可能な複数の当接突起が下方へ突出して設けられ、複数の前記当接突起の少なくとも１つは、前記コイルの端部が巻き付けられて保持される保持突起で構成されている、という特徴を有する。
【００１６】
このように構成されたレンズ駆動装置は、コイルの端部を保持する保持突起が、弾性体に当接する当接突起を兼ねているので、装置の大型化を抑制することができる。
【００１７】
また、上記の構成において、前記取付け体は金属板からなり、前記弾性体が前記取付け体に成型加工により一体化されている、という特徴を有する。
【００１８】
このように構成されたレンズ駆動装置は、ベース部材よりも柔らかい材料からなる弾性体を、金属板へのインサート成型によって得ることができるので、弾性体の寸法精度を高めることができる。
【００１９】
また、上記の構成において、前記取付け体には、切欠き部又は開口部が設けられており、前記弾性体は、前記切欠き部又は前記開口部を塞ぐと共に、前記取付け体の下面側に一部が位置するように設けられている、という特徴を有する。
【００２０】
このように構成されたレンズ駆動装置は、弾性体が取付け体の切欠き部又は開口部を塞ぐように設けられているので、弾性体が取付け体から外れることを防止することができる。
【００２１】
また、上記の構成において、前記取付け体には、複数の貫通部が設けられていると共に、前記ベース部材には、複数の前記貫通部にそれぞれ挿通される凸部が設けられ、複数の前記貫通部に挿通された前記凸部が前記取付け体上で、当該凸部の先端が変形するようにかしめられている、という特徴を有する。
【００２２】
このように構成されたレンズ駆動装置は、ベース部材に設けられた凸部をかしめることによって取付け体を取り付けるため、取付け体をベース部材に容易に固定することができる。
【００２３】
また、上記の構成において、前記取付け体は、光軸を挟んで複数設けられ、それぞれの前記取付け体に、前記弾性体が一体化されている、という特徴を有する。
【００２４】
このように構成されたレンズ駆動装置は、取付け体が複数に分かれて設置されているので、空きスペースを利用して取付け体をベース部材に配置することができる。そのため、装置全体が大型化することを抑制することができる。
【発明の効果】
【００２５】
本発明のレンズ駆動装置は、弾性体を当該弾性体よりも硬い材料で形成された取付け体に一体化して形成したので、弾性体をベース部材上に二色成形で設ける必要がない。そのため、弾性体、即ちレンズ保持部材が当接する部材の加工性を良くすることができる。また、レンズ保持部材がベース部材よりも柔らかい材料からなる弾性体と当接するので、非通電状態における異常音の発生を抑制することができる。
【図面の簡単な説明】
【００２６】
【図１】レンズ駆動装置を構成する各部材を示す分解斜視図である。
【図２】レンズ駆動装置の外観を示す斜視図及び平面図である。
【図３】レンズ保持部材の外観を示す斜視図である。
【図４】弾性体及び取付け体それぞれを示す斜視図である。
【図５】弾性体と取付け体とが一体になった状態を示す斜視図である。
【図６】弾性体と取付け体とが取り付けられたベース部材の斜視図である。
【図７】弾性体と取付け体とが取り付けられたベース部材の正面図である。
【図８】ベース部材上にレンズ保持部材が配設された状態を示す拡大斜視図である。
【図９】ベース部材上に弾性体と一体の取付け体が固定された状態を示す平面図である。
【図１０】レンズ駆動装置の断面模式図である。
【図１１】レンズ駆動装置のコイルに働く電磁力の原理を示す模式図である。
【図１２】従来例に係るレンズ駆動装置を構成する各部材を示す分解斜視図である。
【発明を実施するための形態】
【００２７】
［実施形態］
以下、本発明の実施形態について図面を参照しながら説明する。本実施形態に係るレンズ駆動装置１００は、例えば、携帯電話機やスマートフォン等の携帯型電子機器に内蔵されたカメラに使用されるＶＣＭとして用いられるものである。本実施の形態に係るレンズ駆動装置１００の用途については、これらに限定されるものではなく適宜変更が可能である。尚、本明細書では、特に断りの無い限り、各図面の＋Ｘ側を右側、−Ｘ側を左側、＋Ｙ側を後側、−Ｙ側を前側、＋Ｚ側を上側、−Ｚ側を下側として説明する。
【００２８】
図１乃至図３を参照して、レンズ駆動装置１００の全体構成、及び弾性体１１と取付け体１３とを含むベース部材１０を除く各部材について説明する。図１は、レンズ駆動装置１００を構成する各部材を示す分解斜視図であり、図２（ａ）は、レンズ駆動装置１００の外観を示す斜視図であり、図２（ｂ）は、レンズ駆動装置１００の平面図である。図３は、コイル５５が周囲に巻回された状態のレンズ保持部材２０の外観を示す斜視図であり、図３（ａ）は、上方から見たレンズ保持部材２０の斜視図であり、図３（ｂ）は、下方から見たレンズ保持部材２０の斜視図である。
【００２９】
図１に示すように、レンズ駆動装置１００は、合成樹脂材からなるベース部材１０と、ベース部材１０の上側に配置されるレンズ保持部材２０と、レンズ保持部材２０を光軸方向Ｌ１（上下方向）へ移動可能に支持する下側板バネ３１及び上側板バネ３３を有した付勢部材３０と、複数の磁石５４、金属線材からなるコイル５５及び金属板材からなるヨーク５６を有し、レンズ保持部材２０を光軸方向Ｌ１に沿って移動させる移動機構５０と、レンズ保持部材２０と当接可能に対向するようにベース部材１０に設けられた弾性体１１及び取付け体１３と、環状に形成されたスペーサ部材３５と、を備えている。
【００３０】
図２（ａ）及び図２（ｂ）に示すように、レンズ駆動装置１００は、直方体形状に形成され、中央部には上下方向に貫通した大きな開口が形成されている。外部部品であるレンズ体８０は、レンズ保持部材２０に保持されるものであり、移動機構５０によって光軸方向Ｌ１（上下方向）に駆動可能となっている。
【００３１】
移動機構５０の一部を構成しているヨーク５６は金属板材からなり、図２に示すように、上下方向を開放した平面視で矩形状に形成されている。ヨーク５６は、中央に開口が形成された天面５６ａを有している。また、ヨーク５６は、天面５６ａに外周から連続してヨーク５６の側面を形成する環状の外壁部５６ｂと、天面５６ａの開口から連続して外壁部５６ｂの内側に外壁部５６ｂと対向した４つの内壁部５６ｃと、を有する。内壁部５６ｃは、外壁部５６ｂが形成する４つの角部５６ｄにそれぞれ対向して配置されている。また、内壁部５６ｃは、前述したレンズ保持部材２０の筒状部２３とコイル５５とが離間して形成された隙間に挿入可能な大きさに形成されている（図３（ａ）参照）。
【００３２】
レンズ保持部材２０は合成樹脂材からなり、図３（ａ）に示すように、略筒状に形成されている。レンズ保持部材２０は、上下方向に延出して筒状に形成された筒状部２３を有し、筒状部２３には、筒状部２３の径方向へ延出して形成された鍔部２４が設けられている。また、筒状部２３の内側は、外部部品であるレンズ体８０を保持可能で円筒状に形成されたレンズ保持部２５となっている。レンズ保持部２５の内周面には、レンズ体８０を装着可能なネジ溝２７が内周面に沿って形成されている。
【００３３】
コイル５５は、外周に絶縁被覆（コーティング）が施された金属線材からなり、図２（ｂ）に示すように、略八角形の環状に巻かれ、束ねて形成されている。コイル５５を形成する金属線材の両側の端部５５ａ（図３（ｂ）参照）は、絶縁被覆がはがされて、電気的に導通可能となっている。コイル５５は、本実施形態においては、図３（ａ）及び図３（ｂ）に示すようにレンズ保持部材２０の周囲に環状に巻き付けられている。
【００３４】
磁石５４は、図２（ｂ）に示すように、平面視にて台形形状をなす柱状に形成されている。本実施形態においては磁石５４を４個用いており、４個の磁石５４は、ヨーク５６の角部５６ｄにそれぞれ取り付けられている。尚、磁石５４は、短辺側の面と長辺側の面とに直交する直線方向に着磁されている。
【００３５】
付勢部材３０は金属薄板からなる板バネであり、図１に示すように、下側板バネ３１と上側板バネ３３とを備えている。下側板バネ３１は、円弧状に形成された一対の板バネを向かい合わせて配置することで、平面視で中央に開口を有した長方形状に形成される。開口を形成する側と外周の長方形状を形成する側とが相対的に上下方向に移動可能な構造で、この相対的な移動により、光軸方向Ｌ１に付勢力が発生する。尚、下側板バネ３１の向かい合わせで配置された各板バネ同士は絶縁されている。上側板バネ３３は、中央に開口を有し、外形形状が四角形の環状に形成された板バネである。開口を形成する側と外周の長方形状を形成する側とが相対的に上下方向に移動可能な構造で、この相対的な移動によりベース部材１０の方向へ付勢力が発生する。
【００３６】
スペーサ部材３５は合成樹脂材からなり、図１に示すように、中央に開口を有した平面視で矩形の環状に形成されている。また、スペーサ部材３５の下面（−Ｚ方向側の面）には、上側板バネ３３の内周部分が上下方向へ移動可能な図示しない凹形状が形成されている。
【００３７】
次に、図３乃至図９を参照して、弾性体１１、取付け体１３、及び弾性体１１と取付け体１３とを含むベース部材１０について説明する。図４は、弾性体１１及び取付け体１３それぞれを示す斜視図であり、図４（ａ）は弾性体１１を示し、図４（ｂ）は、切欠き部１３ａを有した取付け体１３を示し、図４（ｃ）は、開口部１３ｃを有した取付け体１３を示している。図５は、弾性体１１と取付け体１３とが一体になった状態を示す斜視図であり、図５（ａ）が上方から見た斜視図であり、図５（ｂ）が下方から見た斜視図である。また、図６は、一体になった弾性体１１及び取付け体１３が取り付けられたベース部材１０を示す斜視図であり、図６（ａ）が上方から見た斜視図であり、図６（ｂ）が下方から見た斜視図である。図７は、一体になった弾性体１１及び取付け体１３が取り付けられたベース部材１０の正面図である。また、図８は、ベース部材１０上にレンズ保持部材２０が配設された状態を示す拡大斜視図であり、図９は、ベース部材１０上の弾性体１１と取付け体１３とレンズ保持部材２０とを示す平面図である。尚、図９では、説明し易くするため、レンズ保持部材２０が透明であると仮定し、レンズ保持部材２０を２点鎖線で示している。
【００３８】
図４（ａ）に示すように、弾性体１１は、左右方向に延伸して形成された基部１１ａと、基部１１ａの右端及び左端の２箇所（両端部）に設けられた、基部１１ａの上方に突出した突出部１１ｂと、を有している。また、図４（ｂ）に示すように、取付け体１３も左右方向に延伸して形成されており、その前側（−Ｙ側）には、弾性体１１を取り付けるための切欠き部１３ａが設けられており、右端及び左端の２箇所には貫通部１３ｂが設けられている。
【００３９】
尚、本実施形態では、弾性体１１を取り付けるために、取付け体１３に切欠き部１３ａを設けた形状としているが、切欠き部１３ａの代わりに、図４（ｃ）に示すように、平面視で、突出部１１ｂの部分の大きさを除いて、弾性体１１と略同一形状となる開口部１３ｃを設ける形状としても良い。尚、図４（ｃ）に示す開口部１３ｃを有した取付け体１３の、開口部１３ｃ以外の構造は、図４（ｂ）に示す切欠き部１３ａを有した取付け体１３の、切欠き部１３ａ以外の構造と同一である。
【００４０】
合成樹脂材からなるベース部材１０に取り付けられる弾性体１１は、ベース部材１０の材料よりも柔らかい材料、例えばエラストマー等の材料で形成されている。また、取付け体１３は、弾性体１１よりも硬い材料、例えば金属板で形成されており、図５（ａ）及び図５（ｂ）に示すように、弾性体１１が取付け体１３にインサート成型加工により一体化されている。
【００４１】
弾性体１１は、図５（ａ）に示すように、基部１１ａが取付け体１３の切欠き部１３ａを塞ぐように一体化されると共に、図５（ｂ）に示すように、取付け体１３の下面側に基部１１ａの一部が位置するように設けられている。即ち、弾性体１１の基部１１ａは、その下部が取付け体１３よりも下方に位置する。また、弾性体１１の突出部１１ｂは、図４（ａ）及び図５（ａ）示すように、その上端部が取付け体１３よりも高い位置にあり、突出部１１ｂの上面がレンズ保持部材２０に当接可能に対向する平坦な受け部１１ｃとなっている。尚、取付け体１３が図４（ｃ）で示した開口部１３ｃを有した取付け体１３の場合であっても、その構造は同様であるため、その説明を省略する。
【００４２】
弾性体１１と一体化された取付け体１３は、図６（ａ）及び図７に示すように、ベース部材１０に固定されると共に、弾性体１１の基部１１ａがベース部材１０に当接するように取り付けられる。前述したように、取付け体１３には複数の貫通部１３ｂが設けられていると共に、ベース部材１０には図８及び図９に示すように、取付け体１３の複数の貫通部１３ｂにそれぞれ挿通される複数の凸部１９が設けられている。そして、複数の貫通部１３ｂに挿通された凸部１９が取付け体１３上で、当該凸部１９の先端が変形するようにかしめられ、取付け体１３がベース部材１０に固定される。尚、貫通部１３ｂ（凸部１９）は、突出部１１ｂ（受け部１１ｃ）とそれぞれ隣り合う位置において、突出部１１ｂ（受け部１１ｃ）を挟むように２つ設けられている。
【００４３】
前述したように、弾性体１１の突出部１１ｂの上面がレンズ保持部材２０に当接可能に対向する受け部１１ｃとなっている。本実施形態では、図９に示すように、弾性体１１は、ベース部材１０の４つの辺のうち、前方向（−Ｙ方向）及び後方向（＋Ｙ方向）の辺の２箇所に設けられている。従って、レンズ保持部材２０に当接可能に対向する受け部１１ｃは、４箇所設けられていることになる。
【００４４】
一方、レンズ保持部材２０の下側の面にある鍔部２４には、図３（ｂ）に示すように、弾性体１１の受け部１１ｃと対向する複数の箇所（本実施形態では４箇所）に、当接突起２１が下方（−Ｚ方向）へ突出して設けられている。そして、レンズ保持部材２０がレンズ駆動装置１００内に組み込まれる際に、図８に示すように、当接突起２１が弾性体１１の受け部１１ｃに当接するように取り付けられる。従って、合成樹脂材から成る当接突起２１と、ベース部材１０よりも柔らかい材料であるエストラマー等から成る受け部１１ｃとが当接することになる。
【００４５】
また、複数の当接突起２１の少なくとも１つ（本実施形態では２つ）は、前述したコイル５５の端部５５ａが巻き付けられて保持される保持突起２２で構成されている。尚、保持突起２２の高さは、コイル５５の端部５５ａが巻き付けられるように、他の当接突起２１の高さよりも高く設定されている。従って、保持突起２２と当接する側の、弾性体１１の突出部１１ｂの高さは、他方の突出部１１ｂの高さよりも低く設定されている。
【００４６】
図９に示すように、取付け体１３は、レンズ保持部材２０に沿うように周方向に離間し、光軸Ｌ１を挟んで複数設けられ、それぞれの取付け体１３に、弾性体１１が一体化されている。取付け体１３は、本実施形態ではベース部材１０の前側（−Ｙ側）及び後側（＋Ｙ側）の２箇所に設けられているが、右側（＋Ｘ側）及び左側（−Ｘ側）の２箇所に更に設けられても良い。
【００４７】
ベース部材１０には、金属板部材１５が埋設されている。金属板部材１５は、図６（ａ）に示すように、その一部がベース部材１０の底面（−Ｚ方向側の面）の左側（−Ｘ方向側）から露出し、第１接続端子１５ｃと第２接続端子１５ｄとを形成している。尚、第１接続端子１５ｃと第２接続端子１５ｄとは絶縁されており、その間は電気的に接続されていない。
【００４８】
また、ベース部材１０の上面（＋Ｚ方向側の面）の、第１接続端子１５ｃの上方の箇所には、金属板部材１５の一部が露出した第１接続部１５ａが形成され、第２接続端子１５ｄの上方の箇所には、第２接続部１５ｂが形成されている。尚、第１接続端子１５ｃと第１接続部１５ａとは電気的に接続されており、また、第２接続端子１５ｄと第２接続部１５ｂとも電気的に接続されている。
【００４９】
金属板部材１５の第１接続端子１５ｃ及び第２接続端子１５ｄは、レンズ駆動装置１００が内蔵されている携帯電話機やスマートフォン等の携帯型電子機器本体に接続されていて、携帯型電子機器本体からのレンズ駆動用の電圧が印加され、コイル５５に電流を流すように構成されている。
【００５０】
次に、上記説明した構成部品からなるレンズ駆動装置１００の構造、特に移動機構５０の構造について、図３（ａ）、図６及び図１０を用いて説明する。図１０は図２（ｂ）に示したＡ−Ａ線から見たレンズ駆動装置１００の断面模式図である。
【００５１】
移動機構５０の一部を構成しているコイル５５は、前述したとおり、レンズ保持部材２０に巻回されて一体に保持されている。図１０に示すように、下側板バネ３１はレンズ保持部材２０の鍔部２４の下側に配置される。このとき、下側板バネ３１は２個並べて配置され、２個の下側板バネ３１は、開口を形成する向きに配置されている。レンズ保持部材２０とそれぞれの下側板バネ３１とは、下側板バネ３１の開口端側（内周部側）の一部がレンズ保持部材２０に係止されている。またこのとき、図３（ａ）に示したように、コイル５５の一方の端部５５ａは一方の下側板バネ３１と電気的に接続され、コイル５５の他方の端部５５ａは他方の下側板バネ３１と電気的に接続されている。これにより、下側板バネ３１はレンズ保持部材２０に保持され、２枚の下側板バネ３１はコイル５５を介して電気的に接続される。
【００５２】
コイル５５及び下側板バネ３１が取り付けられたレンズ保持部材２０は、図１０に示すように、下側板バネ３１とベース部材１０の上面が金属板部材１５を挟んで対向するように、ベース部材１０の上方に重ねて配設される。このとき、下側板バネ３１は外周部側がベース部材１０に係止されるとともに、一方の下側板バネ３１はベース部材１０の上面に設けられた第１接続部１５ａ（図６（ａ）参照）と電気的に接続され、他方の下側板バネ３１は第２接続部１５ｂ（図６（ａ）参照）と電気的接続される。これにより、下側板バネ３１及びコイル５５を介して第１接続端子１５ｃ（図６（ａ）参照）と第２接続端子１５ｄ（図６（ａ）参照）とが電気的に接続され、第１接続端子１５ｃと第２接続端子１５ｄとからコイル５５へ給電が可能となる。
【００５３】
また、レンズ保持部材２０は、下側板バネ３１の付勢力に抗して、下側板バネ３１が弾性変形可能な範囲で、光軸方向Ｌ１（上下方向）へ移動可能であるが、コイル５５が非通電の初期状態において、下側板バネ３１により下方向（ベース部材１０側）へ付勢されている。
【００５４】
図１０に示すように、ヨーク５６の天面５６ａ及び外壁部５６ｂと内壁部５６ｃとの間の隙間には、ヨーク５６の天面５６ａ側からスペーサ部材３５、上側板バネ３３、磁石５４の順番で配置されている。スペーサ部材３５と上側板バネ３３とは、それぞれの開口に内壁部５６ｃを挿通して配置されている。また、スペーサ部材３５は凹形状が形成されていない面とヨーク５６の天面５６ａとが接触するように配置され、上側板バネ３３の外周部は、スペーサ部材３５の凹形状が形成されている面と接触するように配置されている。
【００５５】
磁石５４は、前述したように、ヨーク５６の４隅に配置され、外壁部５６ｂに接触するとともに、上側板バネ３３をスペーサ部材３５とで挟み込んだ状態で接着によりヨーク５６の内部に固定されている。これにより、上側板バネ３３とスペーサ部材３５とは、磁石５４とヨーク５６の天面５６ａとにより挟持され、ヨーク５６の内部に固定される。
【００５６】
このように、上側板バネ３３とスペーサ部材３５と磁石５４とが内部に保持されたヨーク５６は、レンズ保持部材２０及び下側板バネ３１が保持されたベース部材１０の上面側に重ねるように配置されている。このとき、レンズ保持部材２０の筒状部２３はヨーク５６の開口に挿入されるとともに、ヨーク５６の内壁部５６ｃは筒状部２３とコイル５５との隙間に、それぞれと離間するように挿入されている。このように配置することで、レンズ駆動装置１００の外側方向から外壁部５６ｂ、磁石５４、コイル５５、内壁部５６ｃの順番に、ほぼ同じ高さに配設されることで、移動機構５０が構成される。
【００５７】
また、上側板バネ３３の開口側（内周部側）とレンズ保持部材２０の一部が係止され、レンズ保持部材２０は、上側板バネ３３の付勢力に抗して、上側板バネ３３が弾性変形可能な範囲で、光軸方向Ｌ１（上下方向）へ移動可能であるが、コイル５５が非通電の初期状態において、上側板バネ３３により下方向へ付勢されている。また、ヨーク５６とベース部材１０とは半田付けや溶接により係止されており、ヨーク５６とベース部材１０との内部に配置された他の構成部品は脱落することなく保持され、レンズ駆動装置１００が構成される。
【００５８】
次に、図１１を参照して、レンズ駆動装置１００の動作について説明する。図１１はコイル５５に働く電磁力の原理を説明するための模式図であり、図１１（ａ）は磁束Ｍ０の向きを示す側面模式図であり、図１１（ｂ）は図１１（ａ）を上方向（＋Ｚ方向）から示すと共に電流Ｊ０の流れる向きを示した平面模式図である。
【００５９】
レンズ駆動装置１００においては、コイル５５の両側の端部５５ａは下側板バネ３１を介して第１接続端子１５ｃと第２接続端子１５ｄとに電気的に接続されているため、第１接続端子１５ｃ及び第２接続端子１５ｄからコイル５５に電流を流すことができる。移動機構５０では、図１１（ａ）に示すように、磁石５４からの磁束Ｍ０は、磁石５４を発し図１１（ａ）における左側から右側に向かっている。つまり磁石５４からの磁束Ｍ０は、コイル５５を通過して内壁部５６ｃに向かい、ヨーク５６を介して外壁部５６ｂから磁石５４に戻るものとなる。
【００６０】
この状態で、例えば、図１１（ｂ）に示す上側から下側に向かってコイル５５に電流Ｊ０を流すと、コイル５５にはフレミングの左手の法則に従って、光軸方向Ｌ１であるーＺ方向から＋Ｚ方向へ向かう電磁力ｆ０が発生する。また、コイル５５を流れる電流Ｊ０の向きを変えることで電磁力が働く向きを変えることができる。このように、コイル５５に電流Ｊ０を流すことでコイル５５に発生する電磁力により、レンズ駆動装置１００は、付勢部材３０の付勢力に反して図２で示したレンズ体８０をレンズ保持部材２０と一体にして、光軸方向Ｌ１に沿って移動させることが可能となる。
【００６１】
以下、本実施形態としたことによる効果について説明する。
【００６２】
レンズ駆動装置１００は、弾性体１１を当該弾性体１１よりも硬い材料で形成された取付け体１３に一体化して形成したので、弾性体１１をベース部材１０上に二色成形で設ける必要がない。そのため、弾性体１１、即ちレンズ保持部材２０が当接する部材の加工性を良くすることができる。また、レンズ保持部材２０がベース部材１０よりも柔らかい材料からなる弾性体１１と当接するので、非通電状態における異常音の発生を抑制することができる。
【００６３】
また、弾性体１１の基部１１ａをベース部材１０に当接させるようにしたので、レンズ保持部材２０からの衝撃を、柔らかい材料からなる弾性体１１の基部１１ａを介してベース部材１０で受けることができる。その結果、発生する異常音を更に抑制することが可能となる。
【００６４】
また、弾性体１１に設けられた突出部１１ｂの上面が、レンズ保持部材２０が当接する受け部１１ｃとなっているため、レンズ保持部材２０からの衝撃を当該受け部１１ｃで受けた後に、受け部１１ｃより面積の広い基部１１ａに伝えることができる。そのため、レンズ保持部材２０からの衝撃を分散させてベース部材１０に伝えることができ、弾性体１１によるレンズ保持部材２０からの衝撃の吸収を効率良く行うことができる。
【００６５】
また、コイル５５の端部５５ａを保持する保持突起２２が、弾性体１１に当接する当接突起２１を兼ねているので、装置の大型化を抑制することができる。
【００６６】
また、ベース部材１０よりも柔らかい材料からなる弾性体１１を、金属板へのインサート成型によって得ることができるので、弾性体１１の寸法精度を高めることができる。
【００６７】
また、弾性体１１が取付け体１３の切欠き部１３ａ又は開口部１３ｃを塞ぐように設けられているので、弾性体１１が取付け体１３から外れることを防止することができる。  
【００６８】
また、ベース部材１０に設けられた凸部１９をかしめることによって取付け体１３を取り付けるため、取付け体１３をベース部材１０に容易に固定することができる。
【００６９】
また、取付け体１３が複数に分かれて設置されているので、空きスペースを利用して取付け体１３をベース部材１０に配置することができる。そのため、装置全体が大型化することを抑制することができる。
【００７０】
以上説明したように、本発明のレンズ駆動装置は、弾性体を当該弾性体よりも硬い材料で形成された取付け体に一体化して形成したので、弾性体をベース部材上に二色成形で設ける必要がない。そのため、弾性体、即ちレンズ保持部材が当接する部材の加工性を良くすることができる。また、レンズ保持部材がベース部材よりも柔らかい材料からなる弾性体と当接するので、非通電状態における異常音の発生を抑制することができる。
【００７１】
本発明は上記の実施形態に限定されるものではなく、要旨を逸脱しない範囲で種々変更して実施することが可能である。例えば、上記の実施形態においては、上側板バネ３３と下側板バネ３１とが初期状態においていずれもレンズ保持部材２０を同じ方向（ベース部材１０側）へ付勢するものとして説明したが、これに限られない。初期状態において、上側板バネ３３と下側板バネ３１とが互いに逆方向にレンズ保持部材２０を付勢して、レンズ保持部材２０がベース部材１０から浮いているものに本発明を適用しても良い。
【符号の説明】
【００７２】
１０        ベース部材
１１        弾性体
１１ａ      基部
１１ｂ      突出部
１１ｃ      受け部
１３        取付け体
１３ａ      切欠き部
１３ｂ      貫通部
１３ｃ      開口部
１５        金属板部材
１５ａ      第１接続部
１５ｂ      第２接続部
１５ｃ      第１接続端子
１５ｄ      第２接続端子
１９        凸部
２０        レンズ保持部材
２１        当接突起
２２        保持突起
２３        筒状部
２４        鍔部
２５        レンズ保持部
２７        ネジ溝
３０        付勢部材
３１        下側板バネ
３３        上側板バネ
３５        スペーサ部材
５０        移動機構
５４        磁石
５５        コイル
５５ａ      端部
５６        ヨーク
５６ａ      天面
５６ｂ      外壁部
５６ｃ      内壁部
５６ｄ      角部
８０        レンズ体
１００      レンズ駆動装置
Ｌ１        光軸
【図１】
0006417283.tif 000002
【図２】
0006417283.tif 000003
【図３】
0006417283.tif 000004
【図４】
0006417283.tif 000005
【図５】
0006417283.tif 000006
【図６】
0006417283.tif 000007
【図７】
0006417283.tif 000008
【図８】
0006417283.tif 000009
【図９】
0006417283.tif 000010
【図１０】
0006417283.tif 000011
【図１１】
0006417283.tif 000012
【図１２】
0006417283.tif 000013